(57)【要約】【課題】  任意に設定した余白量に合った縦横同一縮小変倍率にて画像を記録紙の中央の位置に配置することができる画像形成装置を提供することを目的とする。【解決手段】  用紙給紙部３０４にてロール記録紙のサイズを検知し、予め変倍部３０１にて任意の左余白量または、右余白量から縦横同一縮小変倍率を計算し、画像読取部３００にセットされた原稿を読み込み、得られた画像データを画像移動部３０２で、記録紙の中央の位置に配置されるように副走査方向の移動量を計算し、画像形成部３０３にて、画像が中央の位置に配置されるように出力する。【選択図】  図２
2006066981.tif 000002
【特許請求の範囲】
【請求項１】
回転ドラム上の感光体を帯電手段により一様に帯電した後、原稿を露光光学係により露光して、その反射光により、前記感光体上に静電潜像を形成し、前記静電潜像を現像手段により顕像化し、顕像化された画像を転写紙給紙搬送手段により給紙搬送される転写紙上に、転写手段により転写し、転写紙に転写された画像を定着手段により定着を行うロール給紙方式の画像形成装置において、
読み込んだ原稿の画像を記憶する記憶手段と、
前記記憶手段に記憶された前記読み込んだ原稿の画像を変倍処理、余白処理を行う画像処理手段と、
前記画像処理手段による変倍処理、余白処理に基づいて、画像を移動させる画像移動手段とを備え、
前記画像処理手段により左または右余白量に合わせた縦横同一縮小変倍によって変倍・余白処理が行われた場合に、前記読み込んだ画像を余白に合わせるとともに、転写紙の中央の位置に前記画像が形成されるように、前記画像移動手段によって画像を移動させることを特徴とする画像形成装置。
【請求項２】
回転ドラム上の感光体を帯電手段により一様に帯電した後、原稿を露光光学係により露光して、その反射光により、前記感光体上に静電潜像を形成し、前記静電潜像を現像手段より顕像化し、顕像化された画像を転写紙給紙搬送手段により給紙搬送される転写紙上に、転写手段により転写し、転写紙に転写された画像を定着手段により定着を行うロール給紙方式の画像形成装置において、
読み込んだ原稿の画像を記憶する記憶手段と、
前記記憶手段に記憶された前記読み込んだ原稿の画像を変倍処理、余白処理を行う画像処理手段と、
前記画像処理手段による変倍処理、余白処理に基づいて、画像を移動させる画像移動手段とを備え、
前記画像処理手段によって左右同一余白量と該左右同一余白量に合わせた縦横同一縮小変倍といった変倍・余白処理が行われた場合に、前記読み込んだ画像を余白に合わせるとともに前記転写紙の中央の位置に前記画像形成されるように、前記画像移動手段によって画像を移動させることを特徴とする画像形成装置。
【請求項３】
前記画像処理手段は、左または、右余白量に合わせた縦横同一縮小変倍を行うとともに、前記転写紙に形成する画像の上下位置が設定可能であることを特徴とする請求項１または２記載の画像形成装置。
【請求項４】
前記画像処理手段は、左または、右余白量に合わせて横縮小変倍のみを行うことを特徴とする請求項１または２記載の画像形成装置。
【請求項５】
前記画像移動手段は、前記画像処理手段によって変倍・余白処理された画像が前記転写紙の中央の位置に配置されるように前記画像の副走査方向の移動量を算出することで、画像を転写紙の中央の位置に配置させることを特徴とする請求項１から４のいずれか１項に記載の画像形成装置。
【発明の詳細な説明】
【技術分野】
【０００１】
本発明は、画像形成装置に関し、特に、変倍・余白処理を行うロール給紙方式の画像形成装置に関する。
【背景技術】
【０００２】
近年、複写機などの画像形成装置の主流は、アナログ機からデジタル機に移行してきている。デジタル機では、読込データ（画像データ）を画像メモリなどに保存し、この画像データに対して、拡大・縮小などの変倍処理を始めとする様々の画像処理を施すことができる。
【０００３】
この種のデジタル複写機の余白設定機能は、定型サイズの外側に余白が設定され、また等倍処理でのみ余白設定可能な使用であった。一方、用紙指定変倍機能については、ユーザがコピー用紙を選択して原稿を挿入すると用紙サイズ幅と原稿サイズ幅に応じて自動的に倍率が決定され、コピー用紙に対して複写動作が開始される仕様であった。
【０００４】
ここで、対象の原稿とコピー用紙とは常に定型サイズであるため、拡大・縮小倍率は固定されていた。例えば、原稿Ａ３サイズ、コピーがＡ４サイズの場合は、縮小倍率が７０．７％に固定されることになる。
【０００５】
従って、用紙指定変倍機能に余白設定機能を付加すると、余白分用紙サイズが長くなって不定型サイズとなるため、用紙指定変倍機能と余白設定機の機能とを併用することはできなかった。また、綴代設定機能については、拡大・縮小機能と併用することも可能であるが、綴代サイズによっては、画像が欠損する場合があった。
【０００６】
上記問題を解決するための従来の技術として、特開２００２−８６８３２号公報（以下、特許文献１）に余白設定機能または綴代機能と用紙指定変倍機能とを効率的に組み合わせて仕様することが可能なロール給紙方式の画像形成装置が記載されている。
【特許文献１】特開２００２−８６８３２号公報
【発明の開示】
【発明が解決しようとする課題】
【０００７】
しかしながら、従来の画像形成装置では原稿定型サイズと同定型サイズのロール記録紙に画像を形成する際に、任意に設定した左または右余白量に合わせた場合に記録紙上の余白以外の画像を中央に納めることができず、見栄えの悪い印刷結果になってしまった。
【０００８】
本発明は係る問題に鑑みてなされたものであり、任意に設定した余白量に合った縦横同一縮小変倍率にて画像を記録紙の中央に位置に配置することができる画像形成装置を提供することを目的とする。
【課題を解決するための手段】
【０００９】
上記目的を達成するために、請求項１記載の画像形成装置は、回転ドラム上の感光体を帯電手段により一様に帯電した後、原稿を露光光学係により露光して、その反射光により、感光体上に静電潜像を形成し、静電潜像を現像手段により顕像化し、顕像化された画像を転写紙給紙搬送手段により給紙搬送される転写紙上に、転写手段により転写し、転写紙に転写された画像を定着手段により定着を行うロール給紙方式の画像形成装置において、読み込んだ原稿の画像を記憶する記憶手段と、記憶手段に記憶され読み込んだ原稿の画像を変倍処理、余白処理を行う画像処理手段と、画像処理手段による変倍処理、余白処理に基づいて、画像を移動させる画像移動手段とを備え、画像処理手段により左または右余白量に合わせた縦横同一縮小変倍によって変倍・余白処理が行われた場合に、読み込んだ画像を余白に合わせるとともに、転写紙の中央の位置に画像が形成されるように、画像移動手段によって画像を移動させることを特徴とする。
【００１０】
請求項２記載の画像形成装置は、回転ドラム上の感光体を帯電手段により一様に帯電した後、原稿を露光光学係により露光して、その反射光により、感光体上に静電潜像を形成し、静電潜像を現像手段より顕像化し、顕像化された画像を転写紙給紙搬送手段により給紙搬送される転写紙上に、転写手段により転写し、転写紙に転写された画像を定着手段により定着を行うロール給紙方式の画像形成装置において、読み込んだ原稿の画像を記憶する記憶手段と、記憶手段に記憶され読み込んだ原稿の画像を変倍処理、余白処理を行う画像処理手段と、画像処理手段による変倍処理、余白処理に基づいて、画像を移動させる画像移動手段とを備え、画像処理手段によって左右同一余白量と該左右同一余白量に合わせた縦横同一縮小変倍といった変倍・余白処理が行われた場合に、読み込んだ画像を余白に合わせるとともに転写紙の中央の位置に画像形成されるように、画像移動手段によって画像を移動させることを特徴とする。
【００１１】
請求項３記載の発明は、請求項１または２記載の画像形成装置であって、画像処理手段は、左または、右余白量に合わせた縦横同一縮小変倍を行うとともに、転写紙に形成する画像の上下位置が設定可能であることを特徴とする。
【００１２】
請求項４記載の発明は、請求項１または２記載の画像形成装置であって、画像処理手段は、左または、右余白量に合わせて横縮小変倍のみを行うことを特徴とする。
【００１３】
請求項５記載の発明は、請求項１から４のいずれか１項に記載の画像形成装置であって、画像移動手段は、画像処理手段によって変倍・余白処理された画像が転写紙の中央の位置に配置されるように画像の副走査方向の移動量を算出することで、画像を転写紙の中央の位置に配置させることを特徴とする。
【発明の効果】
【００１４】
以上の説明から本発明の画像形成装置は、画像処理手段によって転写紙に画像を形成する時に、任意に設定した左または右余白量に合わせた縦横同一縮小変倍処理を行うことで転写紙の中央の位置に画像を形成することができる。
【発明を実施するための最良の形態】
【００１５】
次に添付図面を参照して、本発明の実施形態を説明する。
図１は、複写機の一例を示す図である。
回転可能に支持されて図１の矢印方向に回転する感光体１の外周部には、除電装置Ｌと、クリーニング装置２と、帯電装置３と、現像装置５とが配設されている。感光体１の外周部における帯電装置３と現像装置５との間には、露光装置４から発せられる光情報を入射させるスペースが確保されている。
【００１６】
図１に示す構成では感光体１が４個（１ａ，１ｂ，１ｃ，１ｄ）あるが、現像装置５が扱う色材（トナー）の色が異なるのみであり、それぞれの外周部に設けられる画像形成用の上述した部品構成は同じである。
【００１７】
感光体１は、直径が３０ｍｍから１００ｍｍ程度のアルミニュム円筒表面に、光導電性物質である有機半導体の層を設けて構成され、その一部が中間転写ベルト（第１の顕像担持手段）１０に接している。
【００１８】
中間転写ベルト１０は、回転するローラ１１、１２、１３により支持され、図１の矢印方向に移動可能に張架されている。この中間転写ベルト１０の裏側（ループの内側）には、第１の転写手段２０が感光体１の近傍に配備され、感光体１上の顕像を中間転写ベルト１０に転写させる。
中間転写ベルト１０のベルトループの外側における、中間転写ベルト１０から顕像を記録媒体または裏面用中間転写ベルト（第２の顕像担持手段）１００に転写する位置の下流に、中間転写ベルト用クリーニング装置２５が配設されている。このクリーニング装置２５は、中間転写ベルト１０から顕像が他に転写された後でベルト表面に残留する不要のトナーを拭い去る。
【００１９】
露光装置４は公知のレーザ方式によるもので、フルカラー画像形成に対応した光情報を、一様に帯電された感光体１表面に潜像として照射する。この露光装置４としては、ＬＥＤアレイと結像手段とから成る露光装置を用いてもよい。
【００２０】
このように、上述した感光体１と、クリーニング装置２と、帯電装置３と、露光装置４と、現像装置５と、除電装置Ｌと、第１の転写手段２０とが、中間転写ベルト１０に転写する顕像（トナーによる像）を生成する作像手段Ｇとして機能する。
【００２１】
中間転写ベルト１０は、基体の厚みが５０μｍ乃至６００μｍの樹脂フィルムあるいはゴムを基体にしたベルトであり、感光体１からトナーを転写可能とする抵抗値を備える。
この中間転写ベルト１０に対して図１の右方には、ベルト状の裏面用中間転写ベルト（第２の顕像担持手段）１００が配設されている。この裏面用中間転写ベルト１００は、回転ローラ１１１、１１２、１１３により支持され、図１の矢印方向に移動可能に張架されており、裏側（ループの内側）には、第２の転写手段１２０が配設されている。裏面用中間転写ベルト１００によるベルトループの外側に、この裏面用中間転写ベルト用クリーニング装置２５０、チャージャＣＨ、などが配設されている。
クリーニング装置２５０は、用紙にトナーを転写した後、裏面用中間転写ベルト１００上に残留する不要のトナーを拭い去る。
【００２２】
上述した第２の転写手段１２０と、ローラ１１３と、中間転写ベルト１０を支持するローラ１１とにより、中間転写ベルト１０と裏面用中間転写ベルト１００とは接触し、あらかじめ定められた転写ニップを形成する。
【００２３】
裏面用中間転写ベルト１００は、基体の厚みが５０μｍ乃至６００μｍの樹脂フィルムあるいはゴムを基体にしたベルトで、中間転写ベルト１０からトナーを転写可能とする抵抗値を備えるベルトである。
【００２４】
記録媒体（用紙）Ｐは図の下方の給紙装置（給紙カセット）２６−１、２６−２に収納されており、最上にある用紙が給紙ローラ２７で１枚づつ、複数のガイド２９を経てレジストローラ対２８に搬送される。
記録媒体Ｐが搬送されるさらに下流には、定着用加熱手段３０、排紙ガイド対３１、排紙ローラ対３２、排紙スタック部４０が配設されている。
【００２５】
図１における中間転写ベルト１０の上方で排紙スタック部４０の下方には、補給用のトナーが収納できる収納部ＴＳが設けてある。トナーの色はマゼンタ、シアン、イエロー、ブラックの四色があり、カートリッジＴＣの形態にされている。このカートリッジＴＣからは、粉体ポンプ等により対応する色の現像装置に適宜補給される。
【００２６】
こうした装置本体の一部であるフレーム５０は、開閉支軸５０Ａを中心として、回動・開放が可能な構造にされている。このため、ユーザはこのフレーム５０を開いた状態とすることにより記録媒体の搬送路を大きく開くことができ、ジャムが発生した場合の記録媒体（用紙）の処理を容易にしている。
【００２７】
また、上述した記録媒体Ｐへの画像形成を行う装置本体の上部に画像読み取り手段６０が支持部６６を介して連設され、この画像読み取り手段６０により読み取られた画像データを上述した装置本体が記録媒体Ｐに印刷することで、コピー動作を可能にするよう構成されている。
【００２８】
この画像読み取り手段６０は、自動原稿送り装置（ＡＤＦ）６１と、コンタクトガラス６２と、露光ランプ６３と、露光ランプ６３による原稿画像からの反射光を反射させて所定の光路に導く複数の反射ミラー６４と、導かれた反射光を受光するイメージセンサアレイ６５とを備え、原稿画像の片面または両面を自動原稿送り装置６１により自動的にコンタクトガラス６２上に読み取り可能にセットして読み取ることができるように構成されている。
【００２９】
次に、図２を参照して、画像形成装置の制御部の構成を説明する。
画像形成装置の制御部は、画像読取部３００と変倍部３０１、画像移動部３０２、画像形成部３０３、用紙給紙部３０４、ＣＰＵ３０５、読取モータ制御部３０６、操作部３０７から構成されている。ＣＰＵ３０５は、画像読取部３００、変倍部３０１、画像移動部３０２、画像形成部３０３、読取モータ制御部３０６を制御するものであり、さらに、操作部３０７からの操作を受け付け、各ブロックを制御する。
【００３０】
次に、図２〜１１を参照して画像形成の処理動作を説明する。
（第１の実施形態）
第１の実施形態では、図４に示す操作部で定型サイズの原稿に合った用紙の定型サイズを指定し、任意に設定した左または右余白量に合わせた縦横同一縮小変倍率にて同定型サイズのロール記録紙に自動的に画像を中央に形成する制御を行う。
【００３１】
図３〜５を参照して、第１の実施形態における画像形成の処理動作を説明する。
まず、定型サイズのロール記録紙をセットする（ステップＳ１００）。次に、ロール記録紙のサイズを検知する（ステップＳ１０１）。ここでは、図２に示す用紙給紙部３０４のセンサ（図示せず）により自動的にロール記録紙のサイズを検知する。次に、原稿サイズと同じロール紙の定型サイズを選択する（ステップＳ１０２）。ここでは、図４に示す操作部にてロール紙の定型サイズを選択する。
【００３２】
次に、左余白量、右余白量をセットする（ステップＳ１０３）。ここでは、図４に示す操作部の編集内の余白画像自動変倍を選択し、図５にて任意の左余白量又は、右余白量を数字の入力によりセットする。次に、定型原稿サイズと定型ロール紙サイズを認識し、左余白量又は右余白量から縦横同一縮小変倍率を変倍部３０１にて算出する（ステップＳ１０４）。
【００３３】
次に、定型サイズの原稿を画像読取部３００にセットし（ステップＳ１０５）、画像読取部３００のセンサ（図示せず）により原稿のサイズを検知する（ステップＳ１０６）。次に、変倍部３０１より縦横同一縮小変倍された画像データが画像移動部３０２により画像が原稿の中央にくるように副走査方向の移動量を計算し（ステップＳ１０７）、画像形成部３０３により画像を原稿の中央に形成して出力する（ステップＳ１０８）。
【００３４】
（第２の実施形態）
第２の実施形態では、図４の操作部で定型サイズの原稿に合った用紙の定型サイズを指定し、任意に設定した左右同時余白量設定ができ、なお、左右同一余白量に合わせた縦横同一縮小変倍率にて同定型サイズのロール記録紙に自動的に画像を中央に形成する制御を行う。
【００３５】
図６を参照して第２の実施形態における画像形成の処理動作を説明する。
まず、定型サイズのロール記録紙をセットする（ステップＳ２００）。次に、ロール記録紙のサイズを検知する（ステップＳ２０１）。ここでは、用紙給紙部３０４のセンサ（図示せず）によってロール記録紙のサイズを検知する。次に、図４に示す操作部にて原稿サイズと同じロール紙の定型サイズを選択する（ステップＳ２０２）。
【００３６】
次に、図４に示す操作部の編集内の余白画像自動変倍を選択し、図７にて任意の左右同時余白量をセットする（ステップＳ２０３）。次に、左右同時余白量から縮小変倍率を変倍部３０１にて計算する（ステップＳ２０４）。次に、原稿を画像読取部３００にセットし（ステップＳ２０５）、画像読取部３００に設けられたセンサ（図示せず）によって原稿のサイズを検知する（ステップＳ３０６）。次に、変倍部３０１によって縦横同一縮小変倍された画像データを画像移動部３０２へ送信し、画像が原稿の中央に来るように副走査方向の移動量を計算し（ステップＳ３０７）、画像形成部３０３によって画像が中央に来るように形成して出力する（ステップＳ３０８）。
【００３７】
（第３の実施形態）
第３の実施形態における画像形成の処理動作は、図４に示す操作部で定型サイズの原稿に合った用紙の定型サイズを指定し、任意に設定した左右余白量に合わせて自動的に縦横同一縮小変倍を行い、同定型サイズのロール記録紙に画像形成の上下位置を任意に設定し、配置できるように制御を行う。
【００３８】
図８に示すフローチャートを参照して、第３の実施形態における画像形成の処理動作を説明する。
まず、定型サイズのロール記録紙をセットする（ステップＳ３００）。次に、用紙給紙部３０４に設けられているセンサ（図示せず）によってロール記録紙のサイズを検知し（ステップＳ３０１）、原稿を同じサイズのロール記録紙の定型サイズを図４に示す操作部にて選択する（ステップＳ３０２）。次に、左余白量、右余白量をセットする（ステップＳ３０３）。ここでは、図４に示す操作部の編集内の余白画像自動変倍を選択し、任意の左右余白量をセットする。
【００３９】
次に、任意の画像形成上下量をセットし（ステップＳ３０４）、左右余白量から縦横同一縮小変倍意率を変倍部３０１によって計算する（ステップＳ３０５）。次に、原稿を画像読取部３００にセットし（ステップＳ３０６）、画像読取部３００が備えるセンサ（図示せず）により自動的に原稿のサイズを検知する（ステップＳ３０７）。
【００４０】
次に、変倍部３０１により縦横同一縮小変倍された画像データを画像移動部３０２に送信し、画像が原稿の任意に設定した上下位置に画像が来るように副走査方向の移動量を計算し（ステップＳ３０８）、画像形成部３０３にて画像を上下移動させて出力する（ステップＳ３０９）。
【００４１】
（第４の実施形態）
第４の実施形態では、定型サイズの原稿に合った用紙の定型サイズを指定し、任意に設定した左右余白量に合わせて自動的に横縮小変倍のみ行い、同定型サイズのロール記録紙に縦方向の画像形成サイズをそのまま配置できるように制御を行う。
【００４２】
まず、定型サイズのロール記録紙を用紙給紙部３０４にセットする（ステップＳ４００）。次に、用紙給紙部３０４が備えるセンサ（図示せず）によりロール記録紙のサイズを検知し（ステップＳ４０１）、原稿サイズと同じロール紙の定型サイズを選択する（ステップＳ４０２）。次に、図４に示す操作部の編集内の余白画像自動変倍を選択し、図１１により任意の左右余白量をセットする（ステップＳ４０３）。
【００４３】
次に、変倍部３０１が左右余白量から横縮小変倍率を計算し（ステップＳ４０４）、原稿を画像読取部３００にセットし（ステップＳ４０５）、画像読取部３００が備えるセンサ（図示せず）で原稿のサイズを検知する（ステップＳ４０６）。次に、変倍部３０１より横縮小変倍された画像データを画像移動部３０２へ送り、画像形成部３０３によって縦方向の画像形成サイズを出力する（ステップＳ４０７）。
【００４４】
以上の説明から本発明の実施形態により、原稿定型サイズと同定型サイズのロール記録紙に画像を形成するとき、任意に設定した左または、右余白量に合った縦横同一縮小倍率によってロール記録紙の中央に位置に画像を配置することができる。
【００４５】
また、左右同一余白量に合わせた縦横同一縮小変倍率によって転写紙の中央に画像を配置することができ、均整の取れた画像を形成することができる。
【００４６】
また、任意に設定した左右余白量に合わせて縦横同一縮小変倍を行うと共に、画像形成の上下位置を設定することができ、画像に見合った画像配置ができる。
【００４７】
さらに、左右余白量に合わせて画像を記録紙の中央に形成すると共に、縦方向の画像形成サイズは変更しないことで、上下に余白のない画像を形成することができる。
【図面の簡単な説明】
【００４８】
【図１】本発明の画像形成装置の構成を示した図である。
【図２】本発明の画像形成装置の制御部の構成を示した図である。
【図３】本発明の第１の実施形態における画像形成の処理動作を示したフローチャートである。
【図４】本発明の操作部の構成を示した図である。
【図５】本発明の操作部にて余白設定を行う処理動作を示した図である。
【図６】本発明の第２の実施形態における画像形成の処理動作を示したフローチャートである。
【図７】本発明の操作部にて余白設定を行う処理動作を示した図である。
【図８】本発明の第３の実施形態における画像形成の処理動作を示したフローチャートである。
【図９】本発明の操作部にて余白設定を行う処理動作を示した図である。
【図１０】本発明の第４の実施形態における画像形成の処理動作を示したフローチャートである。
【図１１】本発明の操作部における画像形成の処理動作を示した図である。
【符号の説明】
【００４９】
３００    画像読取部
３０１    変倍部
３０２    画像移動部
３０３    画像形成部
３０４    用紙給紙部
３０５    ＣＰＵ
３０６    読取モータ制御部
３０７    操作部
【図１】
2006066981.tif 000003
【図２】
2006066981.tif 000004
【図３】
2006066981.tif 000005
【図４】
2006066981.tif 000006
【図５】
2006066981.tif 000007
【図６】
2006066981.tif 000008
【図７】
2006066981.tif 000009
【図８】
2006066981.tif 000010
【図９】
2006066981.tif 000011
【図１０】
2006066981.tif 000012
【図１１】
2006066981.tif 000013